(57)【特許請求の範囲】
【請求項１】
側面板、背面板、天井板、床板、および正面扉で構成される金属閉鎖形スイッチギヤの箱体であって、
少なくとも前記側面板の面中央部に波型部を設け、四辺の周辺部を平滑面として箱体柱に固定し、且つ、前記波型部を設けた少なくとも前記側面板と、電気機器と対向する固定板間に防振ゴムを挟み、前記側面板と前記固定板間をバネを介したボルトで固定するとともに、前記防振ゴムの反発力よりも、前記バネのバネ力を大きくしたことを特徴とする金属閉鎖形スイッチギヤの箱体。
【発明の詳細な説明】
【技術分野】
【０００１】
本発明は、遮断器、断路器などの電気機器を収納する金属閉鎖形スイッチギヤの箱体に関する。
【背景技術】
【０００２】
従来、金属閉鎖形スイッチギヤに用いられる遮断器、断路器などの電気機器は、平滑面を有する板状の鋼板を矩形状に組み合せた箱体内に収納され、使用されている（例えば、特許文献１参照。）。
【先行技術文献】
【特許文献】
【０００３】
【特許文献１】特開２００９−１７７５６号公報  （第３ページ、図１）
【発明の概要】
【発明が解決しようとする課題】
【０００４】
上記の従来の金属閉鎖形スイッチギヤの箱体においては、電気機器が短絡事故を起こし内部アークを発生したとき、その圧力上昇により、膨れたり、折り曲げられたりし易い構造であった。即ち、鋼板の板厚が１〜２ｍｍ程度と薄く平滑面を有しているので、機械的強度には限界があった。
【０００５】
なお、鋼板の板厚を例えば５ｍｍ以上に厚くしたり、補強材などで補強したりして機械的強度を向上させることが考えられるが、重量物となる。このため、薄い板厚で機械的強度の向上が図れる箱体が望まれていた。
【０００６】
本発明は上記問題を解決するためになされたもので、薄い板厚で機械的強度の向上が図れる金属閉鎖形スイッチギヤの箱体を提供することを目的とする。
【課題を解決するための手段】
【０００７】
上記目的を達成するために、本発明の金属閉鎖形スイッチギヤの箱体は、側面板、背面板、天井板、床板、および正面扉で構成される金属閉鎖形スイッチギヤの箱体であって、少なくとも前記側面板の面中央部に波型部を設け、四辺の周辺部を平滑面として箱体柱に固定し、且つ、前記波型部を設けた少なくとも前記側面板と、電気機器と対向する固定板間に防振ゴムを挟み、前記側面板と前記固定板間をバネを介したボルトで固定するとともに、前記防振ゴムの反発力よりも、前記バネのバネ力を大きくしたことを特徴とする。
【発明の効果】
【０００８】
本発明によれば、薄い板厚の鋼板に波型部を設けているので、箱体を軽量化することができるとともに、機械的強度の向上を図ることができる。
【図面の簡単な説明】
【０００９】
【図１】本発明の実施例１に係る金属閉鎖形スイッチギヤの箱体の構成の一部を拡大断面して示す斜視図。
【図２】本発明の実施例２に係る金属閉鎖形スイッチギヤの箱体の構成を示す斜視図。
【図３】本発明の実施例３に係る金属閉鎖形スイッチギヤの箱体の構成を示す拡大断面図。
【図４】本発明の実施例４に係る金属閉鎖形スイッチギヤの箱体の構成を示す拡大断面図。
【発明を実施するための形態】
【００１０】
本発明は、鋼板に凹凸状の波型部を設けることにある。以下、図面を参照して本発明の実施例を説明する。
【実施例１】
【００１１】
先ず、本発明の実施例１に係る金属閉鎖形スイッチギヤの箱体を図１を参照して説明する。図１は、本発明の実施例１に係る金属閉鎖形スイッチギヤの箱体の構成の一部を拡大断面して示す斜視図である。
【００１２】
図１に示すように、矩形状の箱体を構成する両側の側面板１ａ、１ｂには、上部から下部までの奥行き方向に断面凹凸状の波型部２を設けている。板厚１〜２ｍｍの鋼板を例えばプレス加工し、板面の中央部に長円状の谷部または山部を連続的に設けている。四辺の周辺部は平滑面となっており、四隅がボルト３で図示しない箱体柱に固定されている。
【００１３】
背面板４、天井板５、床板６、および箱体内を上下に仕切る中間板７も同様に波型部２を設けている。中間板７により、上部室８と下部室９が構成され、遮断器や断路器などの電気機器が収納される。更に、図示しない開閉自在の正面扉も同様に波型部２を設けている。
【００１４】
これにより、各板１ａ、１ｂ、４、５、６、７は、波型部２により機械的強度を向上させることができる。また、側面板１ａ、１ｂ、背面板４などの波型部２は、谷部と山部が上下方向に形成されているので、塵埃が堆積し難くなる。天井板５、床板６、中間板７の波型部２の方向は幅方向、奥行き方向のいずれでもよい。
【００１５】
ここで、側面板１ａ、１ｂの面積が最も大きいので、少なくとも側面板１ａ、１ｂに波型部２を設けることにより、内部アークが発生したときの圧力上昇による膨らみなどを防止することができる。また、側面板１ａ、１ｂ、背面板４などの周辺部は波型部２を設けず、平滑面としているので、図示しない箱体柱への固定を強固なものにすることができる。
【００１６】
上記実施例１の金属閉鎖形スイッチギヤの箱体によれば、箱体を構成する少なくとも側面板１ａ、１ｂに波型部２を設けているので、板厚が薄く軽量化でき、内部事故時や地震時などに耐え得るように機械的強度を向上させることができる。また、波型部２により、表面積が増大するので、放熱効率を向上させることができる。
【実施例２】
【００１７】
次に、本発明の実施例２に係る金属閉鎖形スイッチギヤの箱体を図２を参照して説明する。図２は、本発明の実施例２に係る金属閉鎖形スイッチギヤの箱体の構成を示す斜視図である。なお、この実施例２が実施例１と異なる点は、波型部の大きさである。図２において、実施例１と同様の構成部分においては、同一符号を付し、その詳細な説明を省略する。
【００１８】
図２に示すように、両側の側面板１ａ、１ｂ、背面板４には、箱体の上下を仕切る中間板７を境として、上部と下部に波型部２をそれぞれ設けている。中間板７の端面と接する各板１ａ、１ｂ、４の部分は、平滑面となっている。
【００１９】
上記実施例２の金属閉鎖形スイッチギヤの箱体によれば、実施例１による効果のほかに、中間板７端面と側面板１ａ、１ｂ、背面板４の中間部が接し、上部室８と下部室９間の空気の流れを遮断することができ、各室８、９を独立した空間にすることができる。
【実施例３】
【００２０】
次に、本発明の実施例３に係る金属閉鎖形スイッチギヤの箱体を図３を参照して説明する。図３は、本発明の実施例３に係る金属閉鎖形スイッチギヤの箱体の構成を示す拡大断面図である。なお、この実施例３が実施例２と異なる点は、防振ゴムを設けたことである。図３において、実施例２と同様の構成部分においては、同一符号を付し、その詳細な説明を省略する。なお、中間板を例にとり説明する。
【００２１】
図３に示すように、中間板７と固定板１０間には、防振ゴム１１を挟み、固定板１０側からボルト１２を貫通させ、波型部２の谷部でバネ１３を介してダブルナット１４で固定している。固定板１０には、電気機器１５が固定される。ここで、防振ゴム１１を例えば１０％の所定値に圧縮したときの反発力よりも、バネ１３のバネ力を大きくしている。これは、防振ゴム１１による振動吸収効果を保持しながら、防振ゴム１１を強固に固定するためである。
【００２２】
上記実施例３の金属閉鎖形スイッチギヤの箱体によれば、実施例２による効果のほかに、電気機器１５の振動を防振ゴム１１で吸収することができる。
【００２３】
上記実施例３では、防振ゴム１１を中間板７に設けることで説明したが、床板、側面板、背面板などに設けることで、箱体全体の振動や騒音を吸収することができる。この場合、固定板１０に電気機器１５などを固定する必要はない。このため、固定板１０を電気機器１５と対向するものと称する。
【実施例４】
【００２４】
次に、本発明の実施例４に係る金属閉鎖形スイッチギヤの箱体を図４を参照して説明する。図４は、本発明の実施例４に係る金属閉鎖形スイッチギヤの箱体の構成を示す拡大断面図である。なお、この実施例４が実施例３と異なる点は、化粧板を設けたことである。図４において、実施例３と同様の構成部分においては、同一符号を付し、その詳細な説明を省略する。なお、中間板を例にとり説明する。
【００２５】
図４に示すように、中間板７のダブルナット１４側には、平滑面を有する化粧板１６を固定している。なお、化粧板１６は、箱体の外側となる少なくとも正面扉に設けることで、美観性を向上させる。
【００２６】
上記実施例４の金属閉鎖形スイッチギヤの箱体によれば、実施例３による効果のほかに、箱体の美観性を向上させることができる。
【符号の説明】
【００２７】
１ａ、１ｂ  側面板
２  波型部
３、１２  ボルト
４  背面板
５  天井板
６  床板
７  中間板
８  上部室
９  下部室
１０  固定板
１１  防振ゴム
１３  バネ
１４  ダブルナット
１５  電気機器
１６  化粧板
【図１】
0005495872.tif 000002
【図２】
0005495872.tif 000003
【図３】
0005495872.tif 000004
【図４】
0005495872.tif 000005